(57)【要約】【課題】小動物の移動や食餌行為を阻害して餓死させたり、あるいは強いストレス状態に陥らせることでショック死させるなどによって小動物を駆除する小動物駆除具を提供する。【解決手段】小動物駆除具は、落ち込み部材３と、この落ち込み部材３が装着される箱形のケース４とを備え、このケース４内に落ち込み部材３が落下空間６を確保した状態で落ち込み可能に保持されている。【選択図】図１
2007185171.tif 000002
【特許請求の範囲】
【請求項１】
落ち込み部材と、この落ち込み部材が装着される箱形のケースとを備え、このケース内に前記落ち込み部材が落下空間を確保した状態で落ち込み可能に保持されていることを特徴とする小動物駆除具。
【請求項２】
小動物の手足を突き刺す鋭利な突刺片が上記落ち込み部材に固定されている請求項１記載の小動物駆除具。
【請求項３】
前記落ち込み部材の前記突刺片固定側の表面には、粘着剤が塗布されていることを特徴とする請求項２記載の小動物駆除具。
【請求項４】
前記落ち込み部材の中央位置には、小動物の手足が物体をつかむのに適合した大きさに設定された隆起部が形成され、この隆起部の表面に前記突刺片が固定されていることを特徴とする請求項３記載の小動物駆除具。
【請求項５】
前記ケースには、前記落ち込み部材の挿入用の周端部に当該ケースの内側に向けて折り返した折り曲げ部が形成され、また、前記落ち込み部材の外周部は、前記折り曲げ部と係脱可能に係合していることを特徴とする請求項１ないし請求項４のいずれか一項に記載の小動物駆除具。
【請求項６】
上記折り曲げ部の可動端には、小動物の手足を突き刺す鋭利な突刺部が形成されている請求項５記載の小動物駆除具。
【発明の詳細な説明】
【技術分野】
【０００１】
本発明は、ネズミ等の小動物を駆除するために使用される小動物駆除具に関する。
【背景技術】
【０００２】
従来より、ネズミ等の小動物を駆除するために、紙やプラスチック等でできた基板の表面に粘着剤を塗布した構成の小動物駆除具が提供されている（例えば、下記の特許文献１参照）。
【０００３】
すなわち、従来構成の小動物駆除具は、小動物が出没しそうな場所に粘着剤を上向きにした状態で配置し、小動物の前肢あるいは後肢（以下、単に手足という）が不意にこの粘着剤に触ると、これが手足に絡み付いて身動きできないようにして捕獲し、最終的には食餌行為を阻害して餓死させるようにしている。
【０００４】
【特許文献１】特開平１１−２６２３５２号公報
【発明の開示】
【発明が解決しようとする課題】
【０００５】
上述のように、従来の小動物駆除具は、小動物の手足の動きを粘着剤によって拘束して捕獲する粘着捕獲を主眼にしているので、小動物の四肢ができるだけ粘着剤の上に乗るように、粘着剤の塗布面は小動物の身体よりも十分大きな面積を確保するようにしている。このため、粘着剤が塗布される基板も必然的に大きなものとなり、小動物駆除具の全体形状が大きなものとなっている。
【０００６】
ところで、ネズミなどの小動物は、巣と食餌場所との間を行き来する場合、学習によって最も安全と思われる所を通路としており、このような通路は、床や壁面、天井裏の隙間や、配管の上であったりすることが多い。したがって、このような小動物を有効に駆除するためには、小動物が出没する通路上に小動物駆除具を設置することになる。
【０００７】
しかし、小動物が行き来する通路は、上記のように狭隘な場所や必ずしも平坦でない場所であることが多く、このような場所では、従来のような大きな形状の小動物駆除具を設置することが難しい。また、小動物が暴れることによって粘着を容易に引き剥がして逃げてしまうことも多く、捕獲を主眼とする場合には、その駆除効果が未だ不十分である。
【０００８】
本発明は、上記の課題を解決するためになされたもので、捕獲を主眼とするのではなく、小動物の移動や食餌行為を阻害して餓死させたり、あるいは強いストレス状態に陥らせることでショック死させることによって小動物を駆除する小動物駆除具を提供することを目的とする。
【課題を解決するための手段】
【０００９】
上記の目的を達成するため、本発明の小動物駆除具は、落ち込み部材と、この落ち込み部材が装着される箱形のケースとを備え、このケース内に前記落ち込み部材が落下空間を確保した状態で落ち込み可能に保持されていることを要旨とする。
【発明の効果】
【００１０】
本発明の小動物駆除具によれば、これを小動物の通路に設置しておけば、小動物の手足が落ち込み部材の上に乗って体重がかかると、落ち込み部材がケースの落下空間内に落ち込むので、そのときの勢いによって小動物の手足が傷付けられる、小動物の移動や食餌行為が阻害され、その結果、最終的に餓死に至るか、あるいは強いストレス状態に陥ってショック死する。特に、ネズミはこのようなストレスに弱いので有効である。
【００１１】
しかも、この小動物駆除具は、全体の形状が小形であるので、小動物が出没する通路が狭隘な場所であったり、配管の表面のように平坦でない場所であっても容易に取り付け設置することができる。このため、従来に比べて十分な駆除効果が得られる。また、製品としての部品点数も少ないので、安価に製造することができる。
【００１２】
本発明において、小動物の手足を突き刺す鋭利な突刺片が上記落ち込み部材に固定されている場合には、小動物の手足が突刺片を保持する落ち込み部材の上に乗って体重がかかると、落ち込み部材がケースの落下空間内に落ち込むので、そのときの勢いによって小動物の手足に突刺片が深く突き刺さり手足が傷付けられる。このため、小動物の移動や食餌行為が阻害され、その結果、最終的に餓死に至るか、あるいは強いストレス状態に陥ってショック死する。特に、ネズミはこのようなストレスに弱いので有効である。
【００１３】
本発明において、前記落ち込み部材の突刺片保持側の表面に粘着剤が塗布されている場合には、小動物の手足が凹部に落ち込んだ際に粘着剤が手足に粘り着くので、手足に突き刺さった突刺片が外れ難くなり、小動物の移動や食餌行為を阻害する効果が高まる。
【００１４】
本発明において、落ち込み部材の中央位置に小動物の手足が物体をつかむのに適合した大きさに設定された隆起部が形成され、この隆起部の上に前記突刺片が固定されている場合には、小動物の手足がケース内に不意に落ち込んだ際、物に掴まろうとする動物の習性により、必然的に隆起部を握りしめることになるので、保持部材に付着させた粘着剤と手足との接触面積が平面の場合よりも大きくなって粘着力が増加し、このため、小動物が暴れても手足に突き刺さった突刺片が手足から簡単に外れにくくなる。
【００１５】
また、本発明において、前記ケースには、前記落ち込み部材の挿入用の周端部に当該ケースの内側に向けて折り返した折り曲げ部が形成され、また、前記落ち込み部材の外周部は、前記折り曲げ部と係脱可能に係合している場合には、折り曲げ部と係合突起とが係合した際の両者の押し合いによる摩擦力によって落ち込み部材がケースに保持されるため、簡易な構成でありながら落ち込み部材をケース内に確実に保持することができる。
【００１６】
そして、小動物の手足が落ち込み部材の上に乗って体重がかかると、落ち込み部材がケースの落下空間内に容易に落ち込み、一旦落ち込むと、折り曲げ部はその復原力によってケースの開口を閉じるように展開するため、小動物が暴れても落ち込み部材がケースから外れにくくなり、駆除効果が高まる。
【００１７】
また、本発明において、上記折り曲げ部の可動端には、小動物の手足を突き刺す鋭利な突刺部が形成されている場合には、小動物の手足が落ち込み部材の上に乗って体重がかかり、落ち込み部材が落ち込んで折り曲げ部が復原力でケースの開口を閉じるように展開すると、突刺部が小動物の手足を突き刺すため、小動物が暴れてもケースが小動物の手足から外れにくくなり、駆除効果が高まる。
【発明を実施するための最良の形態】
【００１８】
以下、本発明の小動物駆除具の実施の形態について、図面を参照して詳細に説明する。  図１は本発明の実施の形態における小動物駆除具の断面図、図２は同駆除具を構成するケースの斜視図、図３は同駆除具を構成する落ち込み部材に突刺片と粘着剤とを保持させた状態を示す断面図、図４は同駆除具を構成する落ち込み部材に突刺片と粘着剤とを保持させた状態を示す平面図である。
【００１９】
この実施の形態における小動物駆除具は、小動物の手足を突き刺す鋭利な突刺片１と、小動物の手足に粘り着く粘着剤２と、突刺片１および粘着剤２の双方を表面に保持する落ち込み部材３と、この落ち込み部材３が装着される箱形のケース４とを備えている。
【００２０】
上記のケース４は紙製のもので、図２に示すように、平面視で四角形をした底部４ａと、この底部４ａから延設された周側部４ｂと、この周側部４ｂの上側周端部の各辺から内側に向けて折り返された台形状の折り曲げ部４ｃとを有する。そして、折り曲げ部４ｃの折り曲げ長さは、落ち込み部材３をケース４内に装着した際に後述の落下空間６が確保されるように、周側部４ｂの高さよりも短くなるように設定されている。このため、ケース４の折り曲げ部４ｃ形成側には落ち込み部材３の挿入用の開口４ｄが形成されている。
【００２１】
なお、ケース４の縦横の寸法は、駆除対象となる小動物の身体よりも小さいが、手足よりもやや大きめの寸法に設定されている。例えば、ネズミを駆除対象とする場合には、縦横寸法が約２０ｍｍ程度に設定されている。
【００２２】
なお、ケース４は紙製のものに限らず、可撓性のプラスチック製の材料を使用することも可能である。
【００２３】
一方、落ち込み部材３は、図３および図４に示すように、硬質のプラスチック製のもので、ケース４の周側部４ｂの内周面に沿うように平面視で四角形に形成されており、その中央位置には半球状の隆起部３ａが形成され、また、その外周部に沿ってケース４の折り曲げ部４ｃと係合する係合突起３ｂが堰状に形成されている。この場合、隆起部３ａは、小動物の手足が物体を握るのに適合するようにその大きさが設定されており、この隆起部３ａの頂上部分に突刺片１が接着剤で固定されている。また、落ち込み部材３の係合突起３ｂで囲まれた内側には粘着剤２が塗布されている。
【００２４】
突刺片１は、本例では複数本の針が上方に突出した形状のものが使用されているが、押しピンのように一つの針が上方に突出した形状のものであってもよい。この突刺片１の材料としては、ある程度の強度があるものであれば金属製のものに限らず、セラミックや合成樹脂などの各種の材料を適用することが可能である。
【００２５】
粘着剤２としては、本例ではゴム系粘着剤が使用されているが、これに限らず、例えば合成樹脂系粘着剤、鉱物系粘着剤、ワックス系粘着剤、多糖類系粘着剤などを適宜選定して使用することが可能である。この場合の粘着剤２の粘度は、落ち込み部材３の上に注入することが可能で、かつ、ケース４が傾斜して配置された場合でも容易には垂れ落ちず、しかも、小動物に対しては十分に粘着する程度の粘度となるように設定されている。
【００２６】
上記の小動物駆除具を使用する際には、まず、突刺片１と粘着剤２とが保持された落ち込み部材３をケース４の開口４ｄ側から内側に押し込む。すると、図１（ａ）に示すように、ケース４の折り曲げ部４ｃが落ち込み部材３の周側部分で押圧されてさらに折り曲げられるため、落ち込み部材３を下方に移動させることができる。
【００２７】
そして、落ち込み部材３がある程度まで押し込まれてその外周部分が折り曲げ部４ｃの下端を通過すると、折り曲げ部４ｃの復原力により折り曲げ部４ｃが落ち込み部材３の係合突起３ｂと係脱可能に係合して両者３ｂ，４ｃが互いに押し合い、これに伴う摩擦力によって落ち込み部材３がケース４の底部４ａとの間に落下空間６を確保した状態で保持される。
【００２８】
次いで、この小動物駆除具を床面や壁面等の小動物の通路に設置する。
【００２９】
このようにして小動物駆除具を設置固定しておけば、小動物が通路を行き交う際に、その手足がケース４の開口４ｄを通過して突刺片１および粘着剤２を保持する落ち込み部材３の上に乗って体重がかかると、図１（ｂ）に示すように、落ち込み部材３がその下方の落下空間６内に簡単に落ち込む。その際、ある程度の勢いがついているので、突刺片１が小動物の手足に深く突き刺さる。
【００３０】
また、落ち込み部材３の隆起部３ａは、小動物の手足が物体をつかむのに適合した大きさの半球状に形成されているため、小動物の手足がケース４内に不意に落ち込んだ際、物に掴まろうとする動物の習性により、必然的に隆起部３ａを握りしめることになる。これにより、保持部材３に付着させた粘着剤２と手足との接触面積が平面の場合よりも大きくなって粘着力が増加する。その結果、小動物が暴れても手足に突き刺さった突刺片１が手足から簡単に外れにくくなる。
【００３１】
こうして、落ち込み部材３が一旦落下空間６に落ち込むと、ケース４の折り曲げ部４ｃは、その復原力によってケース４の挿入開口４ｄを閉じるように展開されるため、小動物が暴れても落ち込み部材３が折り曲げ部４ｃに引っ掛かってケース４から外れ難くなる。
【００３２】
これらの結果、小動物は手足の自由が奪われて壁面を駆け上がるなどの移動が困難になったり、食餌行為が阻害されて餓死に至る。また、壁面を駆け上がることができなくなるので、壁の中や天井裏で死ぬ機会も少なくなり、死骸の処理も容易になる。さらに、突刺片１によって手足が傷付けられると、傷の痛みを伴うので強いストレス状態に陥り、特に、ストレスに弱いネズミなどはショック死させることができる。
【００３３】
この小動物駆除具は、全体の形状が小形であるので、小動物が出没する通路が狭隘な場所であったり、配管の表面のように平坦でない場所であっても、容易に取り付け設置することができる。このため、従来に比べて十分な駆除効果を得ることができる。また、薬剤によって小動物を殺す方式ではないので、猫などのような駆除対象外の動物に被害を及ぼす危険性も少ない。
【００３４】
また、落ち込み部材３をケース４の開口４ｄから挿入するだけで落ち込み部材３がケース４に装着保持されるので、組み立て手順は極めて簡単である。また、製品としての部品点数も少ないので、安価に製造することができる。
【００３５】
なお、粘着剤２には石英やガラス等を１〜２ｍｍ程度の大きさに粉砕して鋭利な形状とした突起粒子を予め混入しておくこともできる。このような突起粒子を粘着剤２に混入しておくと、突刺片１が手足に突き刺さらない場合でも、粘着剤２に混入された突起粒子によって手足を傷付けることができるため、小動物の移動や食餌行為を阻害することができるため有効である。
【００３６】
さらに、粘着剤２には、殺鼠剤のような小動物に対する毒性物質を予め混入あるいは塗布しておくともできる。これにより、粘着剤２をなめたりかじったりする小動物を絶命させたり弱らせたりすることができる。
【００３７】
なお、この実施の形態では、落ち込み部材３の隆起部３ａは半球状に形成されているが、このような形状に限定されるものではなく、小動物の手足が物体をつかむのに適合した凸面形状のものであれば他の形状であってもよい。
【００３８】
図５〜図７は、本発明の第２実施形態を示す。
【００３９】
図５および図６に示すように、この例は、ケース４は、平面視で四角形をした底部４ａと、この底部４ａから延設された周側部４ｂと、この周側部４ｂの上側周端部の各辺から内側に向けて折り返された台形状の折り曲げ部４ｃとを有する。そして、折り曲げ部４ｃの折り曲げ長さは、落ち込み部材３をケース４内に装着した際に後述の落下空間６が確保されるように、周側部４ｂの高さよりも短くなるように設定されている。このため、ケース４の折り曲げ部４ｃ形成側には落ち込み部材３の挿入用の開口４ｄが形成されている。
【００４０】
このケース４には、底部４ａに、底部よりも一回り小さい四角形の底部開口４ｅが形成されている。また、図７に示すように、この第２実施形態では、落ち込み部材３は四角板状であり、ケース４の折り曲げ部４ｃ形成側に形成される落ち込み部材３の挿入用の開口４ｄは、上記第１実施形態のものよりも小さくなるよう設定されている。
【００４１】
そして、上記折り曲げ部４ｃの可動端には、小動物の手足を突き刺す鋭利な突刺部７が形成されている。この例では、上記突刺部７は、折り曲げ部４ｃの可動側の開口４ｄに臨む端部と、隣の折り曲げ部４ｃと対面する端部をギザギザに切り出し成形することにより形成している。
【００４２】
上記落ち込み部材３を落下空間６を確保した状態でケース４に取り付ける際には、図７（ｂ）に示すように、上記底部開口４ｅに嵌合するとともに、上面が平らで落ち込み部材３の外周部を折り曲げ部４ｃの折り曲げ部分に係合させた状態で所定高さに位置決めしうる突部９が形成された基板８を準備する。
【００４３】
そして、上記基板８の突部９にケース４の底部開口４ｅを嵌合させた状態で、落ち込み部材３をケース４の開口４ｄ側から内側に押し込むと、ケース４の折り曲げ部４ｃが落ち込み部材３の周側部分で押圧されてさらに折り曲げられる。落ち込み部材３が突部９の上面に当接したときに、折り曲げ部４ｃの復原力により折り曲げ部４ｃが落ち込み部材３の周側部分と係脱可能に係合して互いに押し合い、これに伴う摩擦力によって落ち込み部材３がケース４の底部４ａとの間に落下空間６を確保した状態で保持される。
【００４４】
このように、突部９の頂面に落ち込み部材３が当接した状態で、使用開始までの搬送や保管を行うことができる。このようにすることにより、誤って使用前に落ち込み部材３を落下空間６に落とし込んでしまうことがないし、落ち込み部材３の位置がずれてしまうこともほとんどなくなる。
【００４５】
小動物駆除具を使用するときには、基板８の突部９から落ち込み部材３が取り付けられたケース４を取り外して、床面や壁面等の小動物の通路に設置する。
【００４６】
上記折り曲げ部４ｃの可動端に、小動物の手足を突き刺す鋭利な突刺部７が形成されているため、小動物の手足が落ち込み部材３の上に乗って体重がかかり、落ち込み部材３が落ち込んで折り曲げ部４ｃが復原力でケース４の開口を閉じるように展開すると、突刺部７が小動物の手足を突き刺すため、小動物が暴れてもケース４が小動物の手足から外れにくくなり、駆除効果が高まる。
【００４７】
上記各実施の形態の小動物駆除具は、小動物が行き来する通路に設置すれば、設置数が少なくても十分に高い確率で小動物を駆除できる効果があるが、さらに駆除効果を高めるためには、この小動物駆除具の複数個を通路に沿って一列に設置したり、床面や壁面上の広範囲に分散して配置すればよい。また、本発明の小動物駆除具は、上記の実施の形態で示した形状に限定されるものではなく、その趣旨を逸脱しない範囲内において各種の変形を加えることができる。
【図面の簡単な説明】
【００４８】
【図１】本発明の実施の形態における小動物駆除具の断面図で、同図（ａ）は落ち込み部材をケースに装着した状態、同図（ｂ）は落ち込み部材がケース内に落ち込んだ状態をそれぞれ示している。
【図２】同駆除具を構成するケースの斜視図である。
【図３】同駆除具を構成する落ち込み部材に突刺片と粘着剤とを保持させた状態を示す断面図である。
【図４】同駆除具を構成する落ち込み部材に突刺片と粘着剤とを保持させた状態を示す平面図である。
【図５】本発明の第２の実施の形態であり、（ａ）はケースの断面図、（ｂ）は平面図である。
【図６】上記第２の実施の形態であり、ケースの展開図である。
【図７】上記第２の実施の形態であり、（ａ）は落ち込み部材をケースに装着して使用する状態、（ｂ）は落ち込み部材をケースに装着するときの状態をそれぞれ示している。
【符号の説明】
【００４９】
１    突刺片
２    粘着剤
３    落ち込み部材
３ａ  隆起部
３ｂ  係合突起
４    ケース
４ａ  底部
４ｂ  周側部
４ｃ  折り曲げ部
４ｄ  開口
４ｅ  底部開口
６    落下空間
７    突刺部
８    基板
９    突部
【図１】
2007185171.tif 000003
【図２】
2007185171.tif 000004
【図３】
2007185171.tif 000005
【図４】
2007185171.tif 000006
【図５】
2007185171.tif 000007
【図６】
2007185171.tif 000008
【図７】
2007185171.tif 000009